【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
媒体に対して液体を付着させて印刷する印刷部と、前記印刷部で印刷された媒体が搬送される上流側搬送経路と有する印刷装置と、
前記上流側搬送経路から前記媒体が搬送される中間搬送経路を有し、前記中間搬送経路は前記媒体をスイッチバックさせるスイッチバック経路と、前記スイッチバック経路から搬送された媒体を反転させる反転経路と、前記反転経路で反転させた前記媒体を搬送する反転後経路とを含む中間装置と、
前記中間搬送経路から前記媒体が搬送される下流側搬送経路と、前記下流側搬送経路から搬送された媒体に対して後処理を行う後処理部と、前記後処理部で後処理した媒体を排出する排出部とを有する後処理装置と、を備え、
前記反転後経路における前記媒体の搬送速度である第２搬送速度は、前記上流側搬送経路における前記媒体の搬送速度である第１搬送速度よりも遅く、
先行する媒体の後端と前記先行する媒体に後続する媒体の先端との距離は、前記先行する媒体を前記第１搬送速度で搬送している時よりも、前記先行する媒体を前記第２搬送速度で搬送している時の方が短い、印刷システム。
【請求項２】
前記媒体の搬送を制御する搬送制御部を、さらに有する、請求項１に記載の印刷システム。
【請求項３】
前記印刷装置は、前記媒体を載置するカセットと前記カセットから前記媒体を給送する給送部を有し、
前記搬送制御部は、
前記印刷部が前記媒体の単位領域当たりに付着させる液体の量である単位付着量が予め設定された閾値よりも少ない場合には、前記先行する媒体と前記後続する媒体との間隔として第１間隔となるよう前記給送部を制御し、前記単位付着量が前記閾値よりも多い場合には、前記先行する媒体と前記後続する媒体との間隔として前記第１間隔よりも広い第２間隔となるよう前記給送部を制御し、
前記反転後経路における前記媒体の搬送速度として、前記先行する媒体と前記後続する媒体との間隔が前記第１間隔である場合には前記第２搬送速度となるよう該搬送速度を制御し、前記先行する媒体と前記後続する媒体との間隔が前記第２間隔である場合には前記第２搬送速度よりも低速な第４搬送速度となるよう該搬送速度を制御する、請求項２に記載の印刷システム。
【請求項４】
前記搬送制御部は、
前記下流側搬送経路において、前記第２搬送速度よりも速い第３搬送速度となるよう前記媒体の搬送速度を制御する、請求項３に記載の印刷システム。
【請求項５】
前記搬送制御部は、前記先行する媒体と前記後続する媒体との間隔として、前記媒体のそれぞれをスイッチバックする前の間隔よりも前記媒体のそれぞれをスイッチバックした後の間隔の方が狭くなるように搬送を制御し、前記先行する媒体が前記第３搬送速度で搬送されるときの間隔は、前記スイッチバックした後の間隔よりも広くなるように搬送を制御する、請求項４に記載の印刷システム。
【請求項６】
前記中間搬送経路には、前記スイッチバック経路と前記反転経路との対が複数対あり、
前記複数の反転経路は、前記反転後経路に合流し、
前記反転後経路での前記媒体の搬送速度が、前記第２搬送速度または前記第４搬送速度となる、請求項３乃至５のいずれか一項に記載の印刷システム。
【請求項７】
前記上流側搬送経路において、前記先行する媒体の上流端と前記後続する媒体の下流端とが離間した状態で搬送され、
前記反転後経路において、前記先行する媒体の上流端と前記後続する媒体の下流端とが重なった状態で搬送され、
前記下流側搬送経路において、前記先行する媒体が前記第３搬送速度となった後、該上流端と該下流端とが再び離間する、請求項６に記載の印刷システム。
【請求項８】
液滴を吐出する印刷部によって記録された媒体を搬送するように構成された導入経路と、
前記導入経路から搬送された媒体をスイッチバックするように構成された第１スイッチバック経路と、
前記導入経路から移送された媒体をスイッチバックするように構成された第２スイッチバック経路と、
媒体を前記導入経路から前記第１スイッチバック経路へ搬送するように構成された第１分岐経路と、
媒体を前記導入経路から前記第２スイッチバック経路へ搬送するように構成されて第２分岐経路と、
前記第１スイッチバック経路からスイッチバックされた媒体を反転して搬送するように構成された第２反転経路と、
前記第２スイッチバック経路からスイッチバックされた媒体を反転して搬送するように構成された第２反転経路と、
前記第１反転経路と前記第２反転経路との下流端同士が合流する合流点に上流端が繋がり、媒体を後処理ユニットに搬送するように構成された導出経路と、を備え、
前記導出経路における媒体の搬送速度である第２搬送速度は、前記導入経路における媒体の搬送速度である第１搬送速度よりも遅く、
前記導出経路における先行媒体の後端と後続媒体の後続端との間の第２距離は、前記導入経路における先行媒体の後端と後続媒体の後続端との間の第１距離よりも短いことを特徴とする媒体搬送機構。
【請求項９】
液滴を吐出する印刷部によって記録された媒体を搬送するように構成された導入経路と、
前記導入経路から搬送された媒体をスイッチバックするように構成されたスイッチバック経路と、
媒体を前記導入経路から前記スイッチバック経路へ搬送するように構成された案内経路と、
前記スイッチバック経路からスイッチバックされた媒体を反転して搬送するように構成された反転経路と、
前記反転経路の下流端に上流端が繋がり、媒体を後処理ユニットに搬送するように構成された導出経路と、を備え、
前記導出経路における媒体の搬送速度である第２搬送速度は、前記導入経路における媒体の搬送速度である第１搬送速度よりも遅く、
前記導出経路における先行媒体の後端と後続媒体の後続端との間の第２距離は、前記導入経路における先行媒体の後端と後続媒体の後続端との間の第１距離よりも短いことを特徴とする媒体搬送機構。
【手続補正２】
【補正対象書類名】明細書
【補正対象項目名】発明の名称
【補正方法】変更
【補正の内容】
【発明の名称】印刷システム、媒体搬送機構
【手続補正３】
【補正対象書類名】明細書
【補正対象項目名】０００１
【補正方法】変更
【補正の内容】
【０００１】
本発明は、搬送される媒体などの用紙に印刷を行う例えばインクジェット式プリンターなどの印刷装置を有した印刷システムおよび該印刷システムに用いる媒体搬送機構に関する。
【手続補正４】
【補正対象書類名】明細書
【補正対象項目名】００１３
【補正方法】変更
【補正の内容】
【００１３】
上記印刷システムは、前記媒体の搬送を制御する搬送制御部をさらに有し、上記印刷システムにおける前記印刷装置は、前記媒体を載置するカセットと前記カセットから前記媒体を給送する給送部を有し、前記搬送制御部は、前記印刷部が前記媒体の単位領域当たりに付着させる液体の量である単位付着量が予め設定された閾値よりも少ない場合には、前記先行する媒体と前記後続する媒体との間隔として第１間隔となるよう前記給送部を制御し、前記単位付着量が前記閾値よりも多い場合には、前記先行する媒体と前記後続する媒体との間隔として前記第１間隔よりも広い第２間隔となるよう前記給送部を制御し、前記反転後経路における前記媒体の搬送速度として、前記先行する媒体と前記後続する媒体との間隔が前記第１間隔である場合には前記第２搬送速度となるよう該搬送速度を制御し、前記先行する媒体と前記後続する媒体との間隔が前記第２間隔である場合には前記第２搬送速度よりも低速な第４搬送速度となるよう該搬送速度を制御することが好ましい。